(57)【要約】【課題】フィット性に優れたバックパックを提供する。【解決手段】上部に開口部１３が形成された収納本体１０と、前記開口部１３を開放或いは閉塞可能とする蓋体２０と、背負い用の一対の肩ベルト３０と、を備えたバックパックであって、前記収納本体１０の背面側の側壁１２には、該背面側の側壁１２から突出する背面収納部１５が設けられており、前記背面収納部１５は、バックパックを背負った状態で背中の湾曲凹部に当接する位置に設けられている。【選択図】図１
2019216841.tif 000002
【特許請求の範囲】
【請求項１】
上部に開口部が形成された収納本体と、
前記開口部を開放或いは閉塞可能とする蓋体と、
背負い用の一対の肩ベルトと、を備えたバックパックであって、
前記収納本体の背面側の側壁には、該背面側の側壁から突出する背面収納部が設けられており、
前記背面収納部は、バックパックを背負った状態で背中の湾曲凹部に当接する位置に設けられていることを特徴とするバックパック。
【請求項２】
前記背面収納部の上部は、下方に行くほど前記背面側の側面からの突出量が大きい斜面状に形成され、
前記背面収納部の下部は、上方に行くほど前記背面側の側面からの突出量が大きい斜面状に形成されている請求項１に記載のバックパック。
【請求項３】
前記背面収納部の上部には、ファスナーによって開閉可能に構成された開口部が形成されており、
前記ファスナー及びその持ち手部分はカバー部材によって覆われている請求項１または２に記載のバックパック。
【請求項４】
一対の前記肩ベルトは、前記背面側の側壁の上部に接合された一対のベルト本体と、前記背面収納部の幅方向両端部のそれぞれから延びる一対の調節用ベルトとで構成され、
一方の前記調節用ベルトは、一方の前記ベルト本体と連結され、
他方の前記調節用ベルトは、他方の前記ベルト本体と連結されている請求項１〜３のいずれか一項に記載のバックパック。
【請求項５】
一対の前記調節用ベルトの少なくともいずれかにおける前記背面収納部側の端部には、前記肩ベルト側の端部より相対的に幅広の腰当接部が形成されており、
前記腰当接部には、腰部収納部が設けられている請求項４に記載のバックパック。
【発明の詳細な説明】
【技術分野】
【０００１】
本発明は、バックパックに関する。
【背景技術】
【０００２】
荷物を入れて背負うためのバックパックは、使用目的や使用者の嗜好等に合うように様々な改良がなされたものが提案されている。例えば、小学生が通学用に使用するランドセルでは、耐久性、操作性、収納性、フィット性、装飾性等の観点から様々な改良がなされている。
【０００３】
特許文献１には、ランドセルのフィット性を向上させる観点から、ランドセルに設けられた肩ベルトの取付部の形状を改良することが記載されている。取付部の形状を改良することにより、ランドセルの背面が使用者の背中に密着しやすくなり、フィット性が向上するとともに、ランドセルを重く感じることがないとされている。
【先行技術文献】
【特許文献】
【０００４】
【特許文献１】特開２００４−３５８０１９号公報
【発明の概要】
【発明が解決しようとする課題】
【０００５】
ところで、ランドセルの性能に対して様々な改良がなされる一方、ランドセルの形状そのものは古くから一定の形状に固定され、形状自体が大きく変更されるといったことはなかった。これは、ランドセルが６年間という長い期間、何冊もの教科書や資料集等を収納して使用できるように、耐久性と収納性を重視することによるものである。そのため、ランドセルの収納本体は、硬質な材質で形成されているとともに、上部が開口した略直方体形状とされている。
【０００６】
一方、ヒトの背中はＳ字状に湾曲した背骨の形状に沿って曲面形状をなしており、背中の上下中間位置には湾曲した形状の凹部（湾曲凹部）が形成されている。そのため、図６（ｂ）に示すような従来のランドセルは、背中側の側壁の下端部が背中の湾曲凹部で支えられるような状態となりやすく、ランドセルの上部が後側へ傾いた後傾状態となりやすい。こうした後傾状態では、ランドセルの上部が背中から離れる方向へ傾くため、フィット性が良くないといった問題があった。
【０００７】
そして、こうしたフィット性の問題は、荷物を入れて背負うためのバックパックに共通するものである。
本発明は、従来のこうした問題を解決するためになされたものであり、その目的は、フィット性に優れたバックパックを提供することである。
【課題を解決するための手段】
【０００８】
上記課題を解決するため、本発明のバックパックは、上部に開口部が形成された収納本体と、前記開口部を開放或いは閉塞可能とする蓋体と、背負い用の一対の肩ベルトと、を備えたバックパックであって、前記収納本体の背面側の側壁には、該背面側の側壁から突出する背面収納部が設けられており、前記背面収納部は、バックパックを背負った状態で背中の湾曲凹部に当接する位置に設けられている。
【０００９】
上記の構成によれば、バックパックを背負った状態で、バックパックの背面側の側壁に突出形成された背面収納部が背中の湾曲凹部に当接する。背面収納部が背中の湾曲凹部に当接して支持されることで、収納本体が湾曲凹部に入り込んで後傾状態となることが抑制される。バックパックが背中の曲面形状に沿いやすく、フィット性に優れたバックパックが得られる。また、背面収納部が設けられていることにより、バックパックの収納スペースが増加する。収納性に優れたバックパックが得られる。
【００１０】
上記の発明において、前記背面収納部の上部は、下方に行くほど前記背面側の側面からの突出量が大きい斜面状に形成され、前記背面収納部の下部は、上方に行くほど前記背面側の側面からの突出量が大きい斜面状に形成されていることが好ましい。
【００１１】
上記の発明において、前記背面収納部の上部には、ファスナーによって開閉可能に構成された開口部が形成されており、前記ファスナー及びその持ち手部分はカバー部材によって覆われていることが好ましい。
【００１２】
上記の発明において、前記背面収納部には、幅方向両端部のそれぞれから延びる一対のベルトが設けられており、一方の前記ベルトは、一方の前記肩ベルトと連結され、他方の前記ベルトは、他方の前記肩ベルトと連結されていることが好ましい。
【００１３】
上記の発明において、一対の前記調節用ベルトの少なくともいずれかにおける前記背面収納部側の端部には、前記肩ベルト側の端部より相対的に幅広の腰当接部が形成されており、前記腰当接部には、腰部収納部が設けられていることが好ましい。
【発明の効果】
【００１４】
本発明によれば、フィット性に優れたバックパックを得ることができる。
【図面の簡単な説明】
【００１５】
【図１】第１実施形態のバックパックを示す斜視図。（ａ）は前方の側壁側から見た斜視図、（ｂ）は蓋部側（後方側）から見た斜視図。
【図２】（ａ）、（ｂ）はバックパックの蓋部を開放した状態を示す斜視図。
【図３】肩ベルトの接合部分について説明する図。
【図４】背面収納部、及び蓋部について説明する模式図。（ａ）は側面の模式図、（ｂ）は、斜視模式図。
【図５】背面収納部について説明する図。（ａ）は開口部のファスナーがカバー部材で覆われた状態を示す図、（ｂ）は開口部のファスナーの一部と持ち手部分がカバー部材から露出した状態を示す図。
【図６】バックパックを背負った状態を示す図。（ａ）は本実施形態のバックパックを背負った状態を示す図、（ｂ）は従来のバックパック（ランドセル）を背負った状態を示す図。
【図７】第２実施形態のバックパックを示す説明図。（ａ）は斜視図、（ｂ）は側面図。
【図８】バックパックの変更例を示す図。（ａ）は斜視図、（ｂ）は側面図。
【図９】バックパックの変更例を示す斜視図。
【図１０】バックパックの変更例を示す斜視図。
【発明を実施するための形態】
【００１６】
（第１実施形態）
以下、本発明を具体化した第１実施形態のバックパックについて、学童が通学用に使用するためのバックパックを例に挙げて説明する。
【００１７】
図１に示すように、本実施形態のバックパックは、教材等を収納可能な収納本体としての本体部１０と、本体部１０の上面及び一側面を覆う蓋部２０と、本体部１０の上端部と下端部との間に架け渡された肩ベルト３０とを備えている。以下の説明では、バッグパックの前後、上下、左右方向を図１に示すように定義するものとする。バックパックを背負ったときに背中に当たる側、つまり本体部１０の背面側を前方側とし、蓋部２０で覆われる側を後方側として説明する。
【００１８】
バックパックの材質は、特に限定されず、強度、重量、手触り等、要求される性質に合わせて適宜選択することができる。例えば、ポリアミド樹脂、ポリエステル樹脂等の合成繊維からなる布帛、綿、麻、毛等の天然繊維からなる布帛、皮革、カーボン布帛等が挙げられる。本実施形態の本体部１０は、樹脂板材を芯材とし、ポリアミド樹脂からなる布帛で被覆したものを使用している。また、本実施形態の蓋部２０、及び肩ベルト３０は、軟質のウレタンシートを芯材とし、ポリアミド樹脂からなる布帛で被覆したものを使用している。
【００１９】
図１、図２に示すように、本体部１０は、略矩形状の底壁１１と、底壁１１の周縁から立設される４つの側壁１２を有する略直方体形状に形成されている。ここでは、４つの側壁１２のうち、バックパックの正面側の側壁１２を後方壁１２ａ、バックパックの背面側の側壁１２を前方壁１２ｂ、左右両側の側壁１２を側方壁１２ｃと言うものとする。図２（ａ）、（ｂ）に示すように、本実施形態の本体部１０は、後方壁１２ａの上縁が、前方壁１２ｂの上縁より下方に形成されている。そして、側方壁１２ｃの上縁は、後方壁１２ａの上縁における左右の端部と前方壁１２ｂの上縁における左右の端部との各間を繋ぐように、上方に向かって丸みを帯びて突出する曲線状に形成されている。側方壁１２ｃの上部には、内方へ向かう延出壁１２ｄが、側方壁１２ｃの前後方向全体に亘って形成されている。また、各側壁１２ａ、１２ｂ、１２ｃの上縁、具体的には、後方壁１２ａの上縁、前方壁１２ｂの上縁、及び側方壁１２ｃの延出壁１２ｄの端縁により、開口部１３が形成されている。
【００２０】
図１（ａ）に示すように、前方壁１２ｂの外面下部には、前方壁１２ｂの略半分の大きさの背面収納部１５が設けられている。図４（ａ）に示すように、背面収納部１５は、本体部１０の前方壁１２ｂから前方へ突出しており、前後方向に所定の厚みを有している。背面収納部１５は、バックパックを背負ったときに背中の曲面形状に沿う形状（背中の湾曲凹部に沿う形状）に形成されている。具体的には、背面収納部１５の上部は、下方に行くほど前方壁１２ｂからの突出量が大きい斜面状に形成されており、下部は、上方に行くほど前方壁１２ｂからの突出量が大きい斜面状に形成されている。
【００２１】
図５（ａ）に示すように、背面収納部１５の上部の斜面状部分の前後方向の中間部には、左右方向に延びるファスナー１５ａによって開閉可能に構成された開口部が形成されており、開口部を介して背面収納部１５内に小物を収納できるように構成されている。ファスナー１５ａは、公知の線ファスナーであり、その先端部には、開口部を開閉する際に持つ持ち手部分１５ｂが取り付けられている。ファスナー１５ａ及び持ち手部分１５ｂは、背面収納部１５に縫い付けられたカバー部材１５ｃによって、上方から覆われている。
【００２２】
図５（ｂ）に示すように、カバー部材１５ｃは、その後方端縁でのみ背面収納部１５の上部の斜面状部分の上端縁に縫い付けられており、カバー部材１５ｃの前方端縁をめくれば、ファスナー１５ａ及び持ち手部分１５ｂが露出する。そのため、ファスナー１５ａを操作して開口部から小物を出し入れする際には、カバー部材１５ｃをめくってファスナー１５ａ及び持ち手部分１５ｂを露出させた状態とすればよい。なお、図４、図５は、背面収納部１５、及び蓋部２０について説明する模式図であり、肩ベルト３０等、構成部材のいくつかを省略した図としている。
【００２３】
本実施形態の背面収納部１５は、バックパックを背負ったときに潰れない程度の硬度を有しているとともに、適度な柔軟性を有している。そのため、内部に物が収納されていない状態であっても、前方壁１２ｂから前方へ突出している形状を保持することができる。また、使用者の背中に当たったときのフィット感に優れている。
【００２４】
図１（ａ）に示すように、前方壁１２ｂの外面上部には、バックパックを背負ったときに使用者の背中に当接する背当て部１４が左右一対設けられている。背当て部１４は、前方壁１２ｂから前方へ突出しているとともに、所定間隔をもって、左右方向に延びる溝１４ａが凹設されている。図４（ａ）に示すように、背当て部１４は、下方に行くほど前方壁１２ｂからの突出量が大きくなるように形成されている。背当て部１４は、発泡ポリウレタンフォーム等の柔軟性を有する材質で形成されており、背負ったときに使用者の背中にフィットしやすく構成されている。
【００２５】
図１（ａ）に示すように、前方壁１２ｂの外面上部であって、一対の背当て部１４に挟まれた位置には、蓋部２０の先端部に設けられた後述する係止部２３と係止して蓋部２０を閉じた状態とする被係止部１２ｅが設けられている。本実施形態では、係止部２３と被係止部１２ｅは、公知のバックル等の係止部材で構成されている。
【００２６】
図１（ｂ）に示すように、前方壁１２ｂの外面上端部であって、一対の背当て部１４に挟まれた位置には、壁や机のフック等に掛けられるようにするための掛止部４０が設けられている。本実施形態では、掛止部４０は合成樹脂製のベルト状の布帛が、その両端部で前方壁１２ｂに接合されている。
【００２７】
図１（ａ）、（ｂ）に示すように、一対の側方壁１２ｃの外面下部には、それぞれ、小物を収納可能な脇ポケット１６が設けられている。脇ポケット１６は、前後方向及び下方の３方が閉じられ、上方に向かって開口した形状となっている。
【００２８】
図２（ｂ）に示すように、後方壁１２ａの外面には、小物を収納可能な本体収納部１７が設けられている。本体収納部１７は、その上部から側部にかけて設けられたファスナー１７ａによって開閉可能とされている。本体収納部１７の前面には、使用者の氏名が記入された紙片が挿入できる氏名記入部１７ｂが設けられている。
【００２９】
図１、図２に示すように、本体部１０の上下方向の中間部であって、前方壁１２ｂと側方壁１２ｃとの境界部分には、蓋部２０に設けられた後述するベルト留め具２４と係合して蓋部２０を所定の状態に保持する収納部側調節ベルト１８が設けられている。収納部側調節ベルト１８は、各側方壁１２ｃと前方壁１２ｂとの境界部分のそれぞれに接合されている。
【００３０】
図２（ｂ）に示すように、本実施形態の蓋部２０は、本体部１０の底壁１１と後方壁１２ａとの境界部分に接合されている。蓋部２０の左右方向の幅は、本体部１０の左右方向の幅と同一か、やや大きく形成されている。また、蓋部２０の長さは、本体部１０に対する接合位置から前方壁１２ｂの上縁に至るまでの長さより若干長く形成されている。ここで、図１に示すように蓋部２０が開口部１３を閉じた状態で、外に露出している面を蓋部２０の外面２０ａと言い、露出していない面を蓋部２０の内面２０ｂと言うものとする。
【００３１】
図１（ｂ）に示すように、蓋部２０の外面２０ａには、全面に亘って左右方向に延びる衝撃吸収部２１が設けられている。衝撃吸収部２１は、発泡ポリウレタンフォーム等の柔軟性を有する材質で形成されており、外部からの衝撃が蓋部２０に加わったときに、本体部１０、背面収納部１５等に収納された物を保護することができる。
【００３２】
図２（ｂ）に示すように、蓋部２０の内面２０ｂの先端側には、蓋部２０の略半分の大きさの蓋ポケット２２が設けられている。蓋ポケット２２は、透明樹脂シートを蓋部２０の両端部及び先端部と縫合することにより形成されており、基端部には水平方向に延びる布帛を介してファスナー２２ａが設けられている。蓋ポケット２２には、例えば小学校で学習する１週間の時間割等を入れることができる。
【００３３】
蓋部２０の先端の左右方向中間位置には、前方壁１２ｂの上部に設けられた被係止部１２ｅと係止して蓋部２０を閉塞する係止部２３が設けられている。また、蓋部２０の左右縁であって長さ方向中間位置には、本体部１０に設けられた収納部側調節ベルト１８と係合するベルト留め具２４が設けられている。本実施形態のベルト留め具２４は、ベルト状の部材を掛止できる公知の環形状の部材としている。
【００３４】
図１に示すように、蓋部２０の係止部２３が前方壁１２ｂの被係止部１２ｅと係止しているとき、蓋部２０が開口部１３を閉じる全閉状態となる。図２（ａ）に示すように、蓋部２０の係止部２３と前方壁１２ｂの被係止部１２ｅとの係止状態が解除され、収納部側調節ベルト１８とベルト留め具２４が係合しているとき、蓋部２０が後方壁１２ａの途中で保持される半開状態となる。図２（ｂ）に示すように、蓋部２０の係止部２３と前方壁１２ｂの被係止部１２ｅとの係止状態が解除され、かつ、収納部側調節ベルト１８とベルト留め具２４との係合状態が解除されているとき、後方壁１２ａ全体が露出される全開状態となる。
【００３５】
図２（ｂ）、図４に示すように、蓋部２０の左右縁の内部には、長さ方向に延びる付勢部材２５が挿入されている。具体的には、蓋部２０の芯材としてのウレタンシートに、細長い板状の樹脂素材である付勢部材２５が接合されており、ウレタンシートとともにポリアミド樹脂からなる布帛で被覆されて蓋部２０が構成されている。図２（ｂ）に示すように、付勢部材２５は蓋部２０に設けられたベルト留め具２４に隣接する位置で、蓋部２０の長さ方向に延びるように挿入されている。
【００３６】
図４（ａ）に矢印で示すように、この付勢部材２５は、蓋部２０の上部が前方へ反るように付勢するための部材である。そのため、図４（ｂ）に示すように、蓋部２０先端の係止部２３と前方壁１２ｂの被係止部１２ｅとの係止状態を解除すると、蓋部２０は、矢印で示すように前方へ付勢されて開口部１３を開口する方向に移動し、蓋部２０を半開状態に保持する。
【００３７】
図１（ａ）に示すように、肩ベルト３０は、一方端が前方壁１２ｂの上端部に接合されたベルト本体３１と、一方端が側方壁１２ｃの下端部に接合された調節用ベルト３２で構成されている。ベルト本体３１の他方端には公知の環状バックルが取り付けられ、調節用ベルト３２の他方端を環状バックルに挿し込んで長さ調整することができる。
【００３８】
図１（ｂ）に示すように、ベルト本体３１の裏面（ここでは、背負ったときに使用者の方に当たる側を裏面と言い、当たらない側を表面と言うものとする。）には、肩当て部３３が形成されている。肩当て部３３は、発泡ポリウレタンフォーム等の柔軟性を有する材質で形成されており、背負ったときに肩から上腕部にかけてフィットしやすくなり、肩への負担を和らげる。また、肩当て部３３には、ベルト本体３１の幅方向に延びる溝３３ａが形成されている。
【００３９】
図３に示すように、ベルト本体３１が前方壁１２ｂに接合される接合部位３１ａを跨いだ領域には、芯材としての補強部３５が挿入されている。補強部３５は、ベルト本体３１の芯材としてのウレタンシートに接合されているとともに、本体部１０の芯材としての樹脂板材に接合されている。補強部３５は、硬質の合成樹脂製板材で形成されており、接合部位３１ａを跨いで、ベルト本体３１の一端部から前方壁１２ｂの上端部にかけた領域に挿入されている。そのため、ベルト本体３１は前方壁１２ｂから上方へ向かって立ち上がるように補強されている。
【００４０】
次に、第１実施形態のバックパックの作用について説明する。
第１実施形態のバックパックでは、蓋部２０の一端部が本体部１０の後方壁１２ａの下端部に接合されているとともに、蓋部２０の他端部に係止部２３が設けられている。また、本体部１０の被係止部１２ｅは、本体部１０の前方壁１２ｂの外面上端部に設けられている。そのため、蓋部２０の係止部２３を前方壁１２ｂの被係止部１２ｅに係止すると、開口部１３が閉塞される。このとき、本体部１０の側方壁１２ｃの上縁は、上方へ向かって丸みを帯びて突出する曲線状に形成され、軟質のウレタンシートを芯材とする蓋部２０は柔軟性を有しているため、蓋部２０は側方壁１２ｃの上縁に沿うように開口部１３を閉塞する。
【００４１】
また、側方壁１２ｃには、内方へ向かう延出壁１２ｄが形成されている。そして、蓋部２０の幅は本体部１０の左右方向の幅と同一かやや大きく形成され、蓋部２０の長さは本体部１０との接合位置から前方壁１２ｂの上縁に至るまでの長さより若干長く形成されている。そのため、蓋部２０が開口部１３を閉塞した状態では、開口部１３全体が蓋部２０で覆われ、開口部１３と蓋部２０との間に隙間が生じることが抑制される。
【００４２】
本体部１０の前方壁１２ｂの外面上端部には、壁等のフックに掛けるための掛止部４０が設けられている。そのため、バックパックを壁のフックに掛けると、バックパックの前方壁１２ｂが壁に接し、バックパックの後方壁１２ａが壁とは反対側に来る。この状態で物を出し入れする場合には、使用者はバックパックの後方壁１２ａに向き合って立ち、本体部１０の前方壁１２ｂ側に手を伸ばして係止部２３と被係止部１２ｅとの係止状態を解除する。このとき、蓋部２０は壁とは反対側に開放される。また、蓋部２０の左右縁の内部に挿入された付勢部材２５により、蓋部２０は開放方向に付勢される。そのため、係止部２３と被係止部１２ｅとの係止状態を解除すると、蓋部２０はバックパックが掛けられた壁とは反対側に向かって付勢されつつ開放され、蓋部２０は開放状態に保持される。
【００４３】
蓋部２０には、長さ方向中間位置にベルト留め具２４が設けられ、本体部１０に設けられた収納部側調節ベルト１８と係合している。蓋部２０を開放した場合であって、かつ、ベルト留め具２４と収納部側調節ベルト１８とが係合状態にあるときには、蓋部２０は図２（ａ）に示されるような半開状態に保持される。蓋部２０を開放した場合であって、かつ、ベルト留め具２４と収納部側調節ベルト１８との係合状態が解除されているときには、蓋部２０は図２（ｂ）に示されるような全開状態に保持される。
【００４４】
肩ベルト３０のベルト本体３１が前方壁１２ｂに接合される接合部位３１ａを跨いだ領域には、硬質の合成樹脂製板材である補強部３５が挿入されている。補強部３５は、接合部位３１ａを跨いで、ベルト本体３１の一端部から前方壁１２ｂの上端部にかけた領域に挿入されて、ベルト本体３１を前方壁１２ｂから上方へ向かって立ち上がるように保持している。そのため、図６（ａ）に示すように、肩ベルト３０が使用者の背中から肩にかけてのラインに沿いやすくなり、バックパックと使用者の背中との間に隙間が生じにくい。一方、図６（ｂ）に示すような従来のランドセルでは、使用者の背中との間に隙間が生じやすく、その分重心が使用者の後側に偏りやすくなって使用感が悪い。
【００４５】
本体部１０の前方壁１２ｂの外面下部には、前方へ突出する形状の背面収納部１５が設けられている。背面収納部１５の上部は、下方に行くほど前方壁１２ｂからの突出量が大きい斜面状に形成され、背面収納部１５の下部は、上方に行くほど前方壁１２ｂからの突出量が大きい斜面状に形成されている。そして、バックパックを背負ったときに潰れない程度の硬度を有している。そのため、図６（ａ）に示すように、バックパックを背負ったときには、背面収納部１５がその形状を保持したまま背中の湾曲凹部に当接し、背中の曲面形状（背骨の曲線形状）に沿うようにフィットする。
【００４６】
また、前方壁１２ｂの外面上部には、前方へ突出する形状の背当て部１４が左右一対設けられている。背当て部１４は、下方に行くほど前方壁１２ｂからの突出量が大きくなるように形成されている。そのため、図６（ａ）に示すように、バックパックを背負ったときには、背当て部１４も背中の曲面形状に沿うようにフィットする。
【００４７】
第１実施形態のバックパックによれば、以下の効果が得られる。
（１）図６（ｂ）に示すような従来のランドセルでは、各側壁が底壁に対して垂直に立設した略直方体形状であり、前方壁が平面状となっている。そのため、前方壁が背中の曲面形状に沿いにくくフィット性が悪い。この点、本実施形態のバックパックでは、図６（ａ）に示すように、背面収納部１５の外面形状が背骨の曲線形状（背中の曲面形状）に沿う形状に形成されている。そのため、バックパックを背負ったときに背面収納部１５が背中の曲面形状にフィットする。フィット性に優れたバックパックが得られる。
【００４８】
（２）図６（ｂ）に示すような従来のランドセルは、各側壁が底壁に対して垂直に立設した略直方体形状であり、前方壁が平面状となっている。そのため、ランドセルの設計形状的に、前方壁の下端部が背中の湾曲凹部で支えられるような状態となりやすく、ランドセルの上部が背中から離れる方向へ傾いた後傾状態となりやすい。また、内部に収納した教科書や資料集等の上端部が後側に傾きやすく、特に何冊もの教科書や資料集等を収納して全体の重量が大きくなったりするとランドセルの後傾状態が顕著になる。さらに、教科書や資料集等の高さのあるものを収納することによって重心が高くなる場合にもランドセルが後傾状態になりやすい。そして、ランドセルが後傾状態になると、ランドセルの重みや内容物の重みによって、使用者には後方に向けた力が作用することになる。特に、前後方向に厚みがある従来のランドセルでは、その傾向が顕著である。
【００４９】
この点、本実施形態のバックパックは背面収納部１５を備えているため、本体部１０の前方壁１２ｂに設けられた背面収納部１５が背中の湾曲凹部に当接して支持される。これにより、本体部１０が湾曲凹部に入り込んで後傾状態となることが抑制され、良好な使用感、安定性が得られる。また、バックパックの上部が背中から離れにくく、背中との間に隙間が生じにくい。これにより、バックパック内部に収納された教科書等が前方壁１２ｂ側に傾きにくく、安定して保持される。
【００５０】
（３）本実施形態のバックパックでは、背面収納部１５の上部は、下方に行くほど前方壁１２ｂからの突出量が大きい斜面状に形成され、背面収納部１５の下部は、上方に行くほど前方壁１２ｂからの突出量が大きい斜面状に形成されている。そのため、背中の曲面形状に沿いやすく、フィット性に優れている。
【００５１】
（４）背面収納部１５が設けられているため、背面収納部１５に小物を収納することができる。収納性に優れている。
（５）背面収納部１５は、前方壁１２ｂの外面下部に設けられて、前方壁１２ｂの略半分の大きさとされている。そのため、背面収納部１５が形成されている分、バックパックの重心が低くなる。安定性に優れている。
【００５２】
（６）本実施形態のバックパックでは、背面収納部１５が前方壁１２ｂに設けられている。そのため、バックパックの重心位置を使用者の背中寄りとすることができる。バックパックが背中から離れる方向は傾きにくく、安定性に優れている。
【００５３】
（７）本実施形態のバックパックでは、背面収納部１５が柔軟性のある素材で形成されているため、背中への当たりが柔らかい。背中へのフィット性に優れ、安定して保持することができる。
【００５４】
（８）本実施形態のバックパックでは、肩ベルト３０のベルト本体３１が前方壁１２ｂに接合される接合部位３１ａには、硬質の合成樹脂製板材である補強部３５が挿入されている。補強部３５は、ベルト本体３１を前方壁１２ｂから上方へ向かって立ち上がるように保持しているため、図６（ａ）に示すように、肩ベルト３０が使用者の背中から肩にかけてのラインに沿いやすくなり、バックパックと使用者の背中との間に隙間が生じにくい。この点からも、バックパックの上部が背中から離れる方向は傾きにくく、安定性に優れている。
【００５５】
（９）背面収納部１５の上部の斜面状部分の中間部には、左右方向に延びるファスナー１５ａによって開閉可能に構成された開口部が形成されている。ファスナー１５ａの先端部には、開口部を開閉する際に持つ持ち手部分１５ｂが取り付けられている。そして、ファスナー１５ａ及び持ち手部分１５ｂは、背面収納部１５に縫い付けられたカバー部材１５ｃによって、上方から覆われている。そのため、バックパックを背負ったときに、ファスナー１５ａ及び持ち手部分１５ｂが背中に当たることが抑制され、ファスナー１５ａ及び持ち手部分１５ｂによる擦れが抑制される。ファスナー１５ａ及び持ち手部分１５ｂが設けられていても、使用時の違和感を抑制することができる。
【００５６】
（１０）本実施形態のバックパックでは、バックパックを背負ったときに使用者の背中に当接する背当て部１４が前方壁１２ｂの外面上部に左右一対設けられている。背当て部１４は、前方壁１２ｂの下部に行くほど前方への突出量が多くなるように形成されている。そのため、背中の曲面形状に沿いやすく、フィット性に優れたバックパックが得られる。また、バックパックを背負ったときにバックパックの位置を安定して保持することができる。
【００５７】
（１１）本実施形態のバックパックでは、前方壁１２ｂの上部に設けられた背当て部１４は、発泡ポリウレタンフォーム等の柔軟性を有する材質で形成されている。そのため、背中へのフィット性に優れ、安定して保持することができる。
【００５８】
（１２）本実施形態のバックパックでは、肩ベルト３０のベルト本体３１に肩当て部３３が設けられており、バックパックを背負ったときには、肩当て部３３が使用者の背中から肩前方にかけて当たる。そのため、良好なフィット感、使用感が得られるとともに、安定して背負うことができる。
【００５９】
（１３）本実施形態のバックパックでは、蓋部２０に設けられた係止部２３が、本体部１０の前方壁１２ｂの外面上端部に設けられた被係止部１２ｅと係止されて開口部１３を閉塞し、係止状態を解除されて開口部１３を開放する。また、本体部１０の前方壁１２ｂの外面上端部には、壁等のフックに掛けるための掛止部４０が設けられている。
【００６０】
そのため、バックパックが壁のフックに掛けられた状態で物を出し入れする場合には、壁側に位置する前方壁１２ｂに手を伸ばして係止部２３と被係止部１２ｅとの係止状態を解除すると、蓋部２０は壁とは反対側に開放される。壁の方向に開放される従来のランドセルでは、蓋を手で支持する等していないと開口部を塞いてしまうが、壁が存在しない方向に蓋部２０が開放される本実施形態のバックパックでは、蓋部を支持することなく物の出し入れができるため便利である。操作性を向上させることができる。
【００６１】
（１４）本実施形態のバックパックでは、蓋部２０の左右縁の内部に挿入された付勢部材２５により、蓋部２０は開放方向に付勢される。そのため、係止部２３と被係止部１２ｅとの係止状態を解除すると、蓋部２０は開放状態となるように上端部が回動し、開放状態に到るとそのまま保持される。操作性に優れたバックパックが得られる。
【００６２】
（１５）本実施形態のバックパックでは、蓋部２０が柔軟性を有し、蓋部２０で開口部１３を閉塞したときに、蓋部２０と開口部１３との間に隙間が形成されにくいようにされている。そのため、本体部１０内に雨水が入ったり、埃やごみ等が入ったりすることが抑制される。
【００６３】
（１６）本実施形態のバックパックでは、肩ベルト３０がベルト本体３１と調節用ベルト３２とで構成され、長さを適宜調整することができる。そのため、使用者の体格に合わせて肩ベルト３０の長さを調整し、背面収納部１５が背中の曲面形状にフィットする位置としたり、肩ベルト３０が背中に沿わせるようにしたりすることが容易にできる。操作性を向上させることができる。
【００６４】
（１７）本実施形態のバックパックでは、肩ベルト３０の裏面に発泡ポリウレタンフォーム等の柔軟性を有する材質で形成された肩当て部３３が設けられている。そのため、肩へのフィット性に優れたバックパックとなる。
【００６５】
（１８）本実施形態のバックパックでは、背当て部１４に溝１４ａが設けられ、肩当て部３３に溝３３ａが設けられている。そのため、背負った状態であっても背中に当接しない部分が形成されて、背中との間に隙間が形成され、通気性を確保することができる。また、溝３３ａが設けられていることによって背当て部１４での屈曲性が良好となり、使用者の背中の曲面形状に沿いやすくなる。こうした点は、肩当て部３３の溝３３ａも同様であり、通気性が確保できるとともに使用者の肩に沿いやすくなる。通気性とフィット性とに良好なバックパックが得られる。
【００６６】
（１９）本実施形態のバックパックでは、蓋部２０の長さ方向中間位置にベルト留め具２４が設けられ、本体部１０に設けられた収納部側調節ベルト１８と係合している。そのため、開口部１３が開放された場合に蓋部２０を半開状態に保持することが可能となる。また、係合状態を解除すれば全開状態とすることができる。通常は半開状態とし、本体部１０の後方壁１２ａに設けられた本体収納部１７や、蓋部２０に形成された蓋ポケット２２に物を出し入れする場合等には、全開状態とすればよい。汎用性を向上させることができる。
【００６７】
（２０）ベルト留め具２４に対する収納部側調節ベルト１８の係合位置を調整することにより、本体部１０の前後方向の厚みを調整することができる。汎用性、収納性を向上させることができる。
【００６８】
（２１）本実施形態のバックパックでは、本体部１０以外に、前方壁１２ｂに設けられた背面収納部１５、後方壁１２ａに設けられた本体収納部１７、側方壁１２ｃに設けられた脇ポケット１６、蓋部２０に設けられた蓋ポケット２２を有している。各収納部１５、１７、各ポケット１６、２２を利用して教材等、小物等を収納することができる。収納性に優れたバックパックが得られる。
【００６９】
（２２）本実施形態のバックパックでは、蓋部２０に衝撃吸収部２１が設けられている。そのため、外部からの衝撃が蓋部２０に加わったときに、本体部１０、背面収納部１５等に収納された物を保護することができる。
【００７０】
（第２実施形態）
次に第２実施形態のバックパックについて説明する。第２実施形態のバックパックも学童が通学用に使用するためのバックパックを例に挙げて説明する。また、以下の説明では、第１実施形態のバックパックと異なる部分について説明する。
【００７１】
図７（ａ）に示すように、第２実施形態のバックパックは、肩ベルト３０の構成が第１実施形態のバックパックとは異なっている。また、前方壁１２ｂの外面上部に背当て部１４が設けられていない点で第１実施形態のバックパックとは異なっている。図７（ｂ）に示すように、バックパックの肩ベルト３０は、一方端が前方壁１２ｂの上端部に接合されたベルト本体３１と、一方端が背面収納部１５の左右両端部のそれぞれから延びる背面調節用ベルト３７で構成されている。ベルト本体３１の他方端には公知の環状バックルが取り付けられ、背面調節用ベルト３７の他方端を環状バックルに挿し込んで長さ調整することができる。
【００７２】
図７（ａ）、（ｂ）に示すように、背面調節用ベルト３７は、背面収納部１５が後面側から左右方向に延設された形状で、背面収納部１５と一体に形成されている。背面調節用ベルト３７における背面収納部１５側の部分には、相対的に上下方向に幅広とされた腰当接部３７ａが形成されている。腰当接部３７ａは、バックパックを背負った状態で使用者の腰に当接する位置に設けられ、腰の周りを包み込むような形状、大きさに形成されている。また、背面調節用ベルト３７における背面収納部１５と反対側の部分は、相対的に上下方向に幅の狭い連結部３７ｂが形成されており、連結部３７ｂの端部がベルト本体３１の環状バックルに挿し込まれて、肩ベルト３０の長さ調整可能に構成されている。
【００７３】
図７（ｂ）に示すように、腰当接部３７ａの表面（ここでは、バックパックを背負ったときに使用者の腰に当たらない面を表面というものとする。）には、小物を収納可能な腰部ポケット３７ｃが設けられている。腰部ポケット３７ｃは、前後方向及び下方の３方が閉じられ、上方に向かって開口した形状とされている。
【００７４】
次に、第２実施形態のバックパックの作用について、第１実施形態のバックパックとは異なる点を中心に説明する。
第２実施形態のバックパックでは、肩ベルト３０が、一方端が前方壁１２ｂの上端部に接合されたベルト本体３１と、一方端が背面収納部１５の左右両端部のそれぞれから延びる背面調節用ベルト３７で構成されている。背面調節用ベルト３７は、背面収納部１５の後面側が左右方向に延設された形状で、背面収納部１５と一体に形成されており、その背面収納部１５側の部分には、相対的に上下方向に幅広とされた腰当接部３７ａが形成されている。
【００７５】
バックパックを背負うと、背面収納部１５がその形状を保持したまま背中の湾曲凹部に当接し、背中の曲面形状に沿うようにフィットする。このとき、上下方向に幅広な腰当接部３７ａが使用者の腰の周りに当接し、腰の周りを包み込むような状態となる。肩ベルト３０を構成する腰当接部３７ａが、背面収納部１５と連動して背中の湾曲凹部の周囲を包み込むように作用するため、背面収納部１５が背中の曲面形状に沿いやすく、その状態が安定する。
【００７６】
第２実施形態のバックパックによれば、上記（１）〜（９）、（１２）〜（２２）の効果に加えて、以下の効果が得られる。
（２３）本実施形態のバックパックでは、肩ベルト３０を構成する背面調節用ベルト３７に腰当接部３７ａが形成されており、腰当接部３７ａは、バックパックを背負ったときに腰の周りを包み込む状態となる。また、背面調節用ベルト３７が背面収納部１５と一体に形成されており、背面調節用ベルト３７の背面収納部１５側の部分に腰当接部３７ａが形成されている。そのため、バックパックを背負ったときに、肩ベルト３０によって背面収納部１５が背中に引き寄せられ、背面収納部１５の前面が背中の曲面形状に沿いやすくなる。また、腰当接部３７ａはベルト本体３１によって腰に引き寄せられ、腰当接部３７ａの裏面が腰の周囲を包み込みやすくなる。背面収納部１５と腰当接部３７ａとが一体連動して、背中の湾曲凹部の周囲を包み込むことができる。フィット性に優れたバックパックが得られる。また、背面収納部１５と腰当接部３７ａとが協働してバックパックの位置を安定させることができるため、良好なフィット感が安定して得られる。
【００７７】
（２４）腰当接部３７ａには、小物を収納可能な腰部ポケット３７ｃが設けられている。そのため、バックパックを背負った状態で小物を出し入れすることができる。収納性、利便性に優れている。
【００７８】
（２５）本実施形態のバックパックでは、肩ベルト３０がベルト本体３１と背面調節用ベルト３７とで構成され、長さを適宜調整することができる。そのため、使用者の体格に合わせて肩ベルト３０の長さを調整し、背面収納部１５が背中の曲面形状にフィットする位置としたり、腰当接部３７ａが腰の側部を包み込む位置としたり、肩ベルト３０が背中に沿いやすいようにしたりすることが容易にできる。操作性を向上させることができる。
【００７９】
上記各実施形態は以下のように変更することができる、また、上記各実施形態及び以下の変更例は、技術的に矛盾しない範囲で互いに組み合わせて適用することができる。
・  上記各実施形態では、蓋部２０を閉塞するための係止構造として、前方壁１２ｂの上端部に設けられた被係止部１２ｅに、蓋部２０に設けられた係止部２３を係止する構造としたが、被係止部１２ｅの配設箇所はこれに限定されない。図８（ａ）に示すように、蓋部２０の先端より少し基端寄りの位置に係止部２３を設け、ベルト本体３１の上端部に設けられた被係止部３６と係止するようにしてもよい。この位置に係止部２３及び被係止部３６を設けることで、図８（ｂ）に示すように、ベルト本体３１が前方壁１２ｂから上方へ向かって立ち上がるように保持しやすくなる。そのため、肩ベルト３０が背中に沿いやすくなり、フィット性が向上する。
【００８０】
・  上記各実施形態では、蓋部２０が、本体部１０の底壁１１と後方壁１２ａとの境界部分に接合されるようにしたが、蓋部２０の接合箇所はこれに限定されない。例えば、底壁１１の外面に接合されていてもよく、底壁１１と前方壁１２ｂとの境界部分に接合されていてもよい。また、後方壁１２ａに接合されていてもよく、前方壁１２ｂに接合されていてもよい。例えば、前方壁１２ｂに接合されている場合には、蓋部２０を前方壁１２ｂの上端部に係止して全閉状態とすると、蓋部２０は、前方壁１２ｂ、底壁１１、後方壁１２ａを被覆するとともに開口部１３を閉塞することになる。
【００８１】
・  蓋部２０を本体部１０の前方壁１２ｂに係止するための係止構造は、上記各実施形態のように１箇所に設けることもできるし、図８（ａ）に示すように２箇所に設けることもできるし、３箇所以上に設けることもできる。
【００８２】
・  上記各実施形態では、小物を入れる部分として、背面収納部１５、本体収納部１７、脇ポケット１６、蓋ポケット２２、腰部ポケット３７ｃを設けた。これら以外にも本体部１０の内外を問わず、収納部、ポケット等を設けることができる。例えば、図９に示すように、肩ベルト３０のベルト本体３１の表面に、肩ベルト収納部３４を設けてもよい。肩ベルト収納部３４は上部のみが開放された形状としてもよく、また、いずれかの場所にファスナー、面ファスナー、スナップ等を設けて閉塞可能としてもよい。ベルト本体３１に肩ベルト収納部３４を設けることで、バックパックを背負ったままであっても小物を取り出すことができる。肩ベルト収納部３４に、例えば小銭入れ、定期券、携帯電話等を入れておけば利便性が向上する。収納性、操作性、利便性を向上させることができる。
【００８３】
・  補強部３５は、ベルト本体３１と前方壁１２ｂとの接合部位３１ａを跨いで、ベルト本体３１の一端部から前方壁１２ｂの上端部にかけた領域に挿入されている。補強部３５の長さについては特に限定されない。接合部位３１ａを跨いで挿入されていれば、ベルト本体３１が立ち上がるように補強することができる。また、補強部３５を省略してもよい。
【００８４】
・  背面収納部１５の上部は、下方に行くほど前方壁１２ｂからの突出量が大きい斜面状に形成され、背面収納部１５の下部は、上方に行くほど前方壁１２ｂからの突出量が大きい斜面状に形成されているが、背面収納部１５の形状はこれに限定されない。上部、下部とも斜面状としなくてもよく、一方のみを斜面状としてもよい。バックパックを背負ったときに背中の湾曲凹部に当接する位置に設けられていればよい。
【００８５】
・  上記各実施形態のバックパックでは、背面収納部１５は背負ったときに潰れない程度の硬度を有しているが、これに限定されない。硬度を低くしてもよい。この場合であっても、潰された形状の背面収納部１５が背中の曲面形状の窪みに入り込んで背中の曲面形状に沿うようにすれば、バックパックが後傾状態となりにくくなり、使用者が背後に引っ張られるような状態となりにくい。
【００８６】
また、背面収納部１５は適度な柔軟性を有するようにしたが、柔軟性を有しなくてもよい。
・  背面収納部１５の上部には、左右方向に延びるファスナーを取り付けて、背面収納部１５内に小物を収納できるように構成したが、背面収納部１５を開閉可能とする構成であれば図示のような線ファスナーに限定されない。面ファスナーであってもスナップであってもよい。また、ファスナーを設けなくてもよい。この場合、例えばカバー部材１５ｃの裏面側にスナップ等を設けて背面収納部１５に止められるようにしてもよい。
【００８７】
・  上記各実施形態では、背面収納部１５に取り付けられたファスナー１５ａ及び持ち手部分１５ｂはカバー部材１５ｃによって上方から覆われており、カバー部材１５ｃは、その後方端縁でのみ背面収納部１５の上部の斜面状部分の上端縁に縫い付けられている。これに限定されず、カバー部材１５ｃはその前方端縁で背面収納部１５の上部の斜面状部分の下端縁に縫い付けられていてもよい。また、カバー部材１５ｃを省略してもよい。
【００８８】
・  背面収納部１５、肩ベルト収納部３４、本体収納部１７、脇ポケット１６、蓋ポケット２２、腰部ポケット３７ｃ等を着脱可能としてもよい。
・  第１実施形態のバックパックでは、前方壁１２ｂの外面上部に背当て部１４を左右一対設けたが、これに限定されない。例えば、前方壁１２ｂの外面上部全体に背当て部１４を設けてもよく、或いは、背面収納部１５の前面に背当て部に相当する部材を取り付けてもよい。また、背当て部１４を省略することもできる。
【００８９】
・  第１実施形態のバックパックの背当て部１４は、前方壁１２ｂの下部に行くほど前方への突出量が多くなるような形状で、前方壁１２ｂから前方へ突出して形成したが、この形状に限定されない。前方への突出量は、背当て部１４全体で同じにしてもよく、例えば、上下方向中間部分の突出量を多くしてもよい。
【００９０】
・  第２実施形態のバックパックでは、背当て部１４が設けられていないが、第１実施形態のバックパックと同様な形状で背当て部１４が設けられていてもよい。
・  第１実施形態のバックパックでは、肩ベルト３０の調節用ベルト３２が、側方壁１２ｃの下端部に接合されているが、接合位置はこれに限定されない。底壁１１の外面、つまり、本体部１０の底部に接合されていてもよい。また、前方壁１２ｂに接合されていてもよい。
【００９１】
・  肩ベルト３０のベルト本体３１には肩当て部３３を設けたが、これを省略することもできる。
・  背当て部１４には溝１４ａを形成し、肩当て部３３には溝３３ａを形成して、背負ったときの通気性、フィット性を確保する構成とした。溝１４ａ、３３ａは溝形状に限らずその形状は特に限定されない。背当て部１４、肩当て部３３が使用者に当接しない部分を有することで通気性、フィット性を確保できればよく、何らかの凹部が形成されていればよい。また、溝１４ａ、３３ａを省略してもよい。
【００９２】
・  上記各実施形態の本体部１０では、後方壁１２ａの上縁を、前方壁１２ｂの上縁より下方に形成し、側方壁１２ｃの上縁が、後方壁１２ａの上縁における左右の端部と前方壁１２ｂの上縁における左右の端部との各間を繋ぐように、上方に向かって丸みを帯びて突出する曲線状としたが、本体部１０の形状はこれに限定されない。後方壁１２ａの上縁と前方壁１２ｂの上縁とが同じ位置であってもよく、後方壁１２ａの上縁が前方壁１２ｂの上縁より上方であってもよい。また、側方壁１２ｃの上縁が曲線状でなくてもよい。
【００９３】
・  上記各実施形態のバックパックでは、本体部１０の各側壁１２の上縁を開口部１３としたが、側壁１２の上縁以外に開口部を設けてもよい。例えば、側方壁１２ｃにファスナー等で開閉可能な開口部を設けると、蓋部２０を閉塞した状態で物を出し入れすることができる。
【００９４】
・  上記各実施形態のバックパックでは、蓋部２０の左右縁の内部に、蓋部２０の長さ方向に延びる付勢部材２５を挿入して、蓋部２０が開放方向に付勢されるようにした。付勢部材２５の配設位置、形状、大きさ等は特に限定されない。蓋部２０の中央部分の内部に矩形板状の付勢部材を挿入してもよく、中央部分の内部に細い板状の付勢部材を挿入してもよい。或いは、蓋部２０の外部に取り付けてもよい。また、付勢部材２５の個数も特に限定されない。２箇所である必要はなく、１箇所であっても３箇所以上であってもよい。
【００９５】
・  上記各実施形態の付勢部材２５は樹脂素材としたが、蓋部２０を開放方向に付勢するものであればその材質は特に限定されない。薄板状の金属素材であってもよい。また、付勢部材２５を省略することもできる。
【００９６】
・  上記各実施形態では、蓋部２０が開放方向に付勢される構成として、蓋部２０に付勢部材２５を挿入する構成としたが、蓋部２０が開放方向に付勢される構成はこれに限定されない。例えば、蓋部２０に設けられた衝撃吸収部２１の位置を調整することにより蓋部２０が開放方向に付勢されるようにしてもよい。図４（ａ）に示すように、衝撃吸収部２１は、蓋部２０の他の部分より肉厚に形成されていることから、衝撃吸収部２１がベルト留め具２４の位置の上方近傍の位置に形成されないようにすると、蓋部２０は衝撃吸収部２１が形成されていない部分で開放方向に向かって曲がりやすくなる。これにより、蓋部２０の係止が解除された際に、蓋部２０は開放方向に移動しやすくなる。また、こうした構成は、ベルト留め具２４の取付け位置を調整することによっても実現することもできる。
【００９７】
・  バックパックの所定箇所に防犯ブザー等を取付可能なフックを設けることもできる。
・  上記各実施形態のバックパックでは、背面収納部１５、本体収納部１７で、その上部から側部にかけて延びるファスナーを取り付けて開閉可能とした。また、脇ポケット１６や腰部ポケット３７ｃは、前後方向及び下方の３方が閉じられ、上方に向かって開口した形状とした。さらに、蓋ポケット２２は、蓋部２０の幅方向に延びるファスナー２２ａを取り付けて開閉可能とした。しかし、各収納部１５、１７、各ポケット１６、２２、３７ｃの開口方向はこれに限定されない。例えば、側方を開口させて物を出し入れするような構成としてもよい。
【００９８】
・  第２実施形態のバックパックでは、肩ベルト３０を構成する背面調節用ベルト３７の腰当接部３７ａが、背面収納部１５の後面が左右方向に一体に延設された形状としたが、腰当接部３７ａの形成位置、形状はこれに限定されない。背面収納部１５の前面が左右方向に一体に延設された形状としてもよい。また、例えば図１０に示すように、背面収納部１５の後面から一体に延設された表面部３７ｄと、前面から一体に延設された裏面部３７ｅとから形成されていてもよい。この場合、例えば表面部３７ｄと裏面部３７ｅの下端縁同士を縫い付け、上端縁同士を縫い付けることなく上方に開口させておけば、表面部３７ｄと裏面部３７ｅとの間を腰部ポケットとして使用することができる。また、図１０に示すように表面部３７ｄの上端縁と裏面部３７ｅの上端縁との間に上面部３７ｆを縫い付け、上面部３７ｆにファスナーで開閉可能な開口部を形成してもよい。なお、図１０では、背面収納部１５の形状がわかりやすいように、ベルト本体３１を省略した状態を示している。
【００９９】
・  第２実施形態のバックパックの腰当接部３７ａは、左右の背面調節用ベルト３７の両方に設けられているが、一方のみであってもよい。この場合、腰当接部３７ａが設けられていない背面調節用ベルト３７では、背面収納部１５側端部から連結部３７ｂが形成されていることになる。また、両方の腰当接部３７ａを省略してもよい。この場合であっても、背面調節用ベルト３７が背面収納部１５から延びていることにより、背面収納部１５と背面調節用ベルト３７とが一体連動して、背面収納部１５が背中の湾曲凹部に引き寄せられ、バックパックが背中の曲面形状にフィットしやすくなる。
【０１００】
・  第２実施形態のバックパックの腰部ポケット３７ｃは、左右の腰当接部３７ａの両方に設けられている場合だけでなく、左右のいずれか一方に設けられていてもよい。また、腰部ポケット３７ｃを省略することもできる。
【符号の説明】
【０１０１】
１０…本体部（収納本体）、１１…底壁、１２…側壁、１２ｅ…被係止部、１３…開口部、１４…背当て部、１５…背面収納部、１５ａ…ファスナー、１５ｂ…持ち手部分、１７…本体収納部、１８…収納部側調節ベルト、２０…蓋部、２３…係止部、２４…ベルト留め具、２５…付勢部材、３０…肩ベルト、３１…ベルト本体、３２…調節用ベルト、３３…肩当て部、３４…肩ベルト収納部、３５…補強部、３６…被係止部、３７…調節用ベルト、３７ａ…腰当接部、３７ｃ…腰部ポケット（腰部収納部）、４０…掛止部。
【図１】
2019216841.tif 000003
【図２】
2019216841.tif 000004
【図３】
2019216841.tif 000005
【図４】
2019216841.tif 000006
【図５】
2019216841.tif 000007
【図６】
2019216841.tif 000008
【図７】
2019216841.tif 000009
【図８】
2019216841.tif 000010
【図９】
2019216841.tif 000011
【図１０】
2019216841.tif 000012